(57)【要約】【課題】同じ映像情報から作成されて記録されている２種類の符号化映像ファイルを、手間をとらずに、確実に同じ内容で編集することを可能にする。【解決手段】入力映像情報１００が符号化部１０で２種類の符号化処理されて、符号化映像ファイル１０１Ａ，１０１Ｂが生成され、記録部１１に記録される。所望の映像情報の編集命令１０４が入力されると、ユーザＩ／Ｆ部１４で編集命令１０５に変換され、編集部１５Ａ，１５Ｂに供給される。この編集命令１０５により、記録部１１から同じ映像情報１００から生成された符号化映像ファイル１０２Ａ，１０２Ｂが読み出され、符号化映像ファイル１０２Ａは編集部１５Ａで、符号化映像ファイル１０２Ｂは編集部１５Ｂで夫々編集処理される。かかる編集処理による夫々の編集済み映像ファイル１０８Ａ，１０８Ｂは、記録部１１に供給され、該当する編集前の符号化映像ファイルと書き替えられる。【選択図】図２
2005348228.tif 000002
【特許請求の範囲】
【請求項１】
入力される映像情報を符号化処理して、第１，第２の符号化映像ファイルを生成する符号化部と、
該第１，第２の符号化映像ファイルが記録されて保存される記録部と、
外部からの読み取り指示により、該記録部から該指示によって指定される該第２の符号化映像ファイルを取り込んで復号化処理する復号化部と、
該復号化部で復号された映像ファイルを表示する表示部と、
該記録部に記録されている該第２の符号化映像ファイルに対する外部からの編集命令により、該編集命令によって指定される該第２の符号化映像ファイルを該記録部から取り込んで編集処理し、処理済みの該第２の符号化映像ファイルを該記録部に記録する第２の編集部と、
該第２の編集部での該第２の符号化映像ファイルの編集処理とともに、該第２の符号化映像ファイルと同じ該映像情報から生成された該第１の符号化映像ファイルを該記録部から取り込んで編集処理し、処理済みの該第１の符号化映像ファイルを該記録部に記録する第１の編集部と
を備え、第２の符号化映像ファイルの編集処理が該第１の符号化映像ファイルの編集処理に自動的に反映されることを特徴とする動画像編集システム。
【請求項２】
入力される映像情報を異なる第１，第２の符号化映像ファイルとして保存する第１の装置と、該第１の装置から該第２の符号化映像ファイルを取り込み可能な第２の装置とからなり、
該第１の装置は、
入力される該映像情報を符号化処理し、該第１，第２の符号化映像ファイルを生成する符号化部と、
該第１，第２の符号化映像ファイルが記録されて保存される記録部と、
該記録部から該第２の符号化映像ファイルを取り込んで該第２の装置に送り込み、該第２の装置からの該第２の符号化映像ファイルを該記録部に記録する第１の取込／送出手段と、
外部からの編集命令を受信する受信部と、
該受信部で受信された該編集命令に基づき、該記録部から該第１の符号化映像ファイルを取り込んで編集処理し、編集済みの該第１の符号化映像ファイルを該記録部に記録する第１の編集部と
を備え、
該第２の装置は、
該第１の装置の該送出／取り込み手段から送出された該第２の符号化映像ファイルを取り込み、該第１の装置の該第１の取込／送出手段に第２の符号化映像ファイルを送り込む第２の取込／送出手段と、
該第２の取込／送出手段で取り込まれた該第１の装置からの該第２の符号化映像ファイルを、外部からの編集命令に基づいて、編集処理し、編集済みの該第２の符号化映像ファイルを該第２の取込／送出手段から該第１の装置の該第１の取込／送出手段に送り込ませる第２の編集部と、
該編集命令を該第１の装置の該受信部に送信する送信部と
を備え、
該第１の装置での第１の編集部は、該第２の装置からの該編集命令に基づき、該第２の装置での該第２の符号化映像ファイルの編集処理に自動的に反映して、編集処理される該第２の符号化映像ファイルと同じ該映像情報から生成された該第１の符号化映像ファイルを該記録部から取り込んで編集処理することを特徴とする動画像編集システム。
【請求項３】
請求項２において、
前記第１の装置での前記第１の取込／送出手段は記録媒体が着脱可能な第１の記録媒体Ｉ／Ｆ部であって、該第１の記録媒体Ｉ／Ｆ部に装着された該記録媒体と前記記録部との間で前記第２の符号化映像ファイルのやり取りが可能であり、
前記第２の装置での前記第２の取込／送出手段は該記録媒体が着脱可能な第２の記録媒体Ｉ／Ｆ部であって、該第２の記録媒体Ｉ／Ｆ部に装着された該記録媒体と前記第２の編集部との間で前記第２の符号化映像ファイルのやり取りが可能であり、
前記第１の装置と前記第２の装置の間の前記第２の符号化映像情報のやり取りを該記録媒体で行なうことを特徴とする動画像編集システム。
【請求項４】
請求項２において、
前記第１の装置での前記第１の取込／送出手段は、前記記録部から取り込んだ前記第２の符号化映像ファイルを送信する送信部と、前記第２の装置からの前記編集済みの第２の符号化映像ファイルを受信する受信部とからなり、
前記第２の装置での前記第２の取込／送出手段は、前記第１の装置の該送信部から送信される前記第２の符号化映像ファイルを受信する受信部と、前記第２の編集部による前記編集済みの第２の符号化映像ファイルを前記第１の装置に送信する送信部とからなることを特徴とする動画像編集システム。
【請求項５】
請求項１〜４のいずれか１つにおいて、
前記第１，第２の符号化映像ファイルのいずれか一方が高いビットレートの高品位の符号化映像ファイルであって、他方が低ビットレートの符号化映像ファイルであり、
前記符号化部は、前記映像情報を符号化して該高いビットレートの高品位の符号化映像ファイルを生成する第１の符号化回路と、前記映像情報を符号化して該低いビットレートの符号化映像ファイルを生成する第２の符号化回路とを備えたことを特徴とする動画像編集システム。
【請求項６】
請求項５において、
前記第１の符号化回路はＭＰＥＧ−２規格で符号化処理し、前記第１の符号化回路はＭＰＥＧ−４規格で符号化処理することを特徴とする動画像編集システム。
【請求項７】
請求項１〜４のいずれか１つにおいて、
前記第１，第２の符号化映像ファイルのいずれか一方が高いビットレートの高品位の符号化映像ファイルであって、他方が低ビットレートの符号化映像ファイルであり、
前記符号化部は、前記映像情報を符号化して該高いビットレートの符号化映像ファイルを生成する符号化回路と、該符号化回路で生成された該高いビットレートの符号化映像ファイルをフォーマット変換して該低いビットレートの符号化映像ファイルを生成するフォーマット変換回路とを備えたことを特徴とする動画像編集システム。
【請求項８】
請求項７において、
前記符号化回路はＭＰＥＧ−２規格で符号化処理することを特徴とする動画像編集システム。
【請求項９】
入力される映像情報を異なる第１，第２の符号化映像ファイルとして保存する第１の装置と、該第１の装置から該第２の符号化映像ファイルを取り込み可能な第２の装置とからなり、
該第１の装置は、
入力される該映像情報を符号化処理し、高ビットレートの該第１の符号化映像ファイルを生成する符号化部と、
該第１の符号化映像ファイルが記録されて保存される記録部と、
該符号化部で生成された該第１の符号化映像ファイルを低ビットレートの第２の符号化映像ファイルに変換する変換部と、
該第２の符号化映像ファイルを該第２の装置に送出する送出手段と、
外部からの編集命令を受信する受信部と、
該受信部で受信された該編集命令に基づき、該記録部から該第１の符号化映像ファイルを取り込んで編集処理し、編集済みの該第１の符号化映像ファイルを該記録部に記録する第１の編集部と
を備え、
該第２の装置は、
該第１の装置の該送出手段から送出された該第２の符号化映像ファイルを取り込む取込手段と、
該取込手段で取り込まれた該第１の装置からの該第２の符号化映像ファイルを、外部からの編集命令に基づいて、編集処理する第２の編集部と、
該編集命令を該第１の装置の該受信部に送信する送信部と、
該第２の編集部による編集済みの該第２の符号化映像ファイルを復号し、表示するための手段と
を備え、
該第１の装置での第１の編集部は、該第２の装置からの該編集命令に基づき、該第２の装置での該第２の符号化映像ファイルの編集処理に自動的に反映して、編集処理される該第２の符号化映像ファイルと同じ該映像情報から生成された該第１の符号化映像ファイルを該記録部から取り込んで編集処理することを特徴とする動画像編集システム。
【請求項１０】
請求項１〜９のいずれか１つにおいて、
前記符号化部は、前記映像情報の符号化処理とともに、符号化情報を作成し、前記第１または前記第２の符号化映像ファイルの編集処理に用いることを特徴とする動画像編集システム。
【発明の詳細な説明】
【技術分野】
【０００１】
本発明は、映像情報を符号化して記録するビデオカメラシステムやビデオレコーダシステムの分野において、映像情報を取り込み、同時に少なくとも１種類の符号化方式、例えば、ＭＰＥＧ−２やＭＰＥＧ−４(Moving Picture Experts Group Phase-4)で符号化し、第１の符号化映像ファイルと第２の符号化映像ファイルを作成し、第２の符号化映像ファイルに対して編集処理を行なうと同時に、その編集処理を自動的に第１の符号化映像ファイルに反映させることを可能とする手段、及び技法に係る。
【０００２】
さらに、第１の符号化映像ファイルに対して、遠隔編集を可能とする手段、及び技法に係る。
【背景技術】
【０００３】
入力された映像情報をハードディスクなどの記録媒体に書き込んで保存し、これを読み出して映像表示することや、サーバに保存されている映像情報をネットワークを介して取得し、これを閲覧するようなことが、従来、よく行なわれていることであるが、このような記録媒体やサーバに保存されている映像情報を編集する技術も提案されている。
【０００４】
その一例として、サーバに格納されているブックデータをそのペーシ毎にネットワークを介して端末で編集できるようにするものであるが、同じブックデータを複数の端末で同時に編集することができるようにした技術が提案されている。これは、端末が編集対象のブックオブジェクトをサーバの格納部から取得してその更新命令をサーバに送ると、サーバはこの更新命令に従ってこの編集対象のブックオブジェクトを編集し、その編集結果を上記の格納部に格納するとともに、更新命令があった端末に送出するが、ほかにこの同じ編集対象のブックオブジェクトを編集する端末がある場合には、かかる端末にも、この編集結果を送出するものであり、これにより、同じブックオブジェクトを編集する全ての端末に、そのうちのいずれかの編集結果を反映させることができるようにするものである（例えば、特許文献１参照）。
【０００５】
また、他の例として、ＭＰＥＧ（Moving Picture Experts Group）などの規格で画像圧縮されて記録されている動画像ファイルを、圧縮処理されたままの状態で、編集することができるようにしたものである。これは、映像ファイルの編集区間のみの動画像データを抽出し、これから新たな動画像ファイルを作成するものであるが、ＭＰＥＧで画像圧縮されている場合には、この編集区間をＧＯＰ（Group Of Picture）単位で編集を行ない、それらから１つの編集ファイルを作成するものである。編集区間が複数ある場合には、もとの動画像ファイルからこれに編集区間を抽出し、これらをつなぎ合わせて１つの動画像ファイルを作成するものである（例えば、特許文献２参照）。
【特許文献１】特開２００１−２５６２１０号公報
【特許文献２】特開２００３−３１９３３６号公報
【発明の開示】
【発明が解決しようとする課題】
【０００６】
ところで、同じ映像情報を異なる形態のファイル、例えば、一方を記録・保存用の高ビットレートの符号化映像ファイルとし、他方を携帯端末向けなどの低ビットレートの符号化映像ファイルとして、同時に記録し、これらのいずれか一方を読み出して再生するシステムが考えられるが、このようなシステムにおいて、一方の符号化映像ファイルを編集すると、これと同一映像情報から生成された他方の符号化映像ファイルに対しても、同じ内容の編集をすることが必要であるが、上記特許文献１，２に開示される編集技術を適用するにしても、夫々の符号化映像ファイル毎に編集を行なう必要がある。
【０００７】
例えば、符号化映像ファイルの一部を切り出す編集処理を行なう場合、編集者は、対象となる符号化映像ファイルに対して、切出開始位置の指定（編集処理１）と切出終了位置の指定（編集処理２）とを行ない、しかる後、切出実行命令（編集処理３）を行なう。同じ映像情報から生成した異なる符号化方式の２つの符号化映像ファイルに対してかかる切り出し編集処理を行なう場合、切り出し位置がこれら符号化映像ファイルで同一または相関関連があるにもかかわらず、夫々毎に同じ編集処理を行ななわなければならず、手間と時間を要することになる。
【０００８】
また、例えば、据置型のハードディスクレコーダを用い、受信した同じ放送番組を携帯端末向けなどの低ビットレートの符号化映像ファイルと記録・保存用の高ビットレートの符号化映像ファイルとして、かかるハードディスクレコーダに記録し、この低ビットレートの符号化映像ファイルを携帯端末に読み取って任意の場所で視聴できるようにしたシステムにおいて、かかる低ビットレートの符号化映像ファイルを携帯端末で編集することができるようにした場合、携帯端末でかかる低ビットレートの符号化映像ファイルを編集したときには、ハードディスクレコーダに記録されている同じ放送番組からの記録・保存用の高ビットレートな符号化映像ファイルや低ビットレートの符号化映像ファイルの編集も必要となるが、このためには、これら符号化映像ファイルが保存されているハードディスクレコーダの設置場所までユーザが移動しなければならず、その分手間がかかることになる。また、ついでのときにハードディスクレコーダの符号化映像ファイルを編集することが考えられるが、この編集を忘れてしまったり、編集の内容を忘れてしまい、編集されないままになるおそれもある。
【０００９】
本発明の目的は、かかる問題を解消し、同じ映像情報から作成されて記録されている２種類の符号化映像ファイルの編集の手間を削減し、これら符号化映像ファイルを確実に同じ内容の編集を行なうことができるようにした動画像編集システムを提供することにある。
【００１０】
本発明の他の目的は、映像信号を符号化映像ファイルとして記録した場所から離れても、この符号化映像ファイルを確実に編集することができるようにした動画像編集システムを提供することにある。
【課題を解決するための手段】
【００１１】
上記目的を達成するために、本発明は、入力される映像情報を符号化処理して、第１，第２の符号化映像ファイルを生成する符号化部と、第１，第２の符号化映像ファイルが記録されて保存される記録部と、外部からの読み取り指示により、記録部から指示によって指定される第２の符号化映像ファイルを取り込んで復号化処理する復号化部と、復号化部で復号された映像ファイルを表示する表示部と、記録部に記録されている第２の符号化映像ファイルに対する外部からの編集命令により、編集命令によって指定される第２の符号化映像ファイルを記録部から取り込んで編集処理し、処理済みの第２の符号化映像ファイルを記録部に記録する第２の編集部と、第２の編集部での第２の符号化映像ファイルの編集処理とともに、第２の符号化映像ファイルと同じ映像情報から生成された第１の符号化映像ファイルを記録部から取り込んで編集処理し、処理済みの第１の符号化映像ファイルを記録部に記録する第１の編集部とを備え、第２の符号化映像ファイルの編集処理が第１の符号化映像ファイルの編集処理に自動的に反映されるものである。
【００１２】
また、本発明は、入力される映像情報を異なる第１，第２の符号化映像ファイルとして保存する第１の装置と、第１の装置から第２の符号化映像ファイルを取り込み可能な第２の装置とからなり、第１の装置は、入力される映像情報を符号化処理し、第１，第２の符号化映像ファイルを生成する符号化部と、第１，第２の符号化映像ファイルが記録されて保存される記録部と、記録部から第２の符号化映像ファイルを取り込んで第２の装置に送り込み、第２の装置からの第２の符号化映像ファイルを記録部に記録する第１の取込／送出手段と、外部からの編集命令を受信する受信部と、受信部で受信された編集命令に基づき、記録部から第１の符号化映像ファイルを取り込んで編集処理し、編集済みの第１の符号化映像ファイルを記録部に記録する第１の編集部とを備え、第２の装置は、第１の装置の送出／取り込み手段から送出された第２の符号化映像ファイルを取り込み、第１の装置の第１の取込／送出手段に第２の符号化映像ファイルを送り込む第２の取込／送出手段と、第２の取込／送出手段で取り込まれた第１の装置からの第２の符号化映像ファイルを、外部からの編集命令に基づいて、編集処理し、編集済みの第２の符号化映像ファイルを第２の取込／送出手段から第１の装置の第１の取込／送出手段に送り込ませる第２の編集部と、編集命令を第１の装置の受信部に送信する送信部とを備え、第１の装置での第１の編集部は、第２の装置からの編集命令に基づき、第２の装置での第２の符号化映像ファイルの編集処理に自動的に反映して、編集処理される第２の符号化映像ファイルと同じ映像情報から生成された第１の符号化映像ファイルを記録部から取り込んで編集処理するものである。
【００１３】
そして、第１の装置での第１の取込／送出手段は記録媒体が着脱可能な第１の記録媒体Ｉ／Ｆ部であって、第１の記録媒体Ｉ／Ｆ部に装着された記録媒体と記録部との間で第２の符号化映像ファイルのやり取りが可能であり、第２の装置での第２の取込／送出手段は記録媒体が着脱可能な第２の記録媒体Ｉ／Ｆ部であって、第２の記録媒体Ｉ／Ｆ部に装着された記録媒体と第２の編集部との間で第２の符号化映像ファイルのやり取りが可能であり、第１の装置と第２の装置の間の第２の符号化映像情報のやり取りを記録媒体で行なうものである。
【００１４】
また、第１の装置での第１の取込／送出手段は、記録部から取り込んだ第２の符号化映像ファイルを送信する送信部と、第２の装置からの編集済みの第２の符号化映像ファイルを受信する受信部とからなり、第２の装置での第２の取込／送出手段は、第１の装置の送信部から送信される第２の符号化映像ファイルを受信する受信部と、第２の編集部による編集済みの第２の符号化映像ファイルを第１の装置に送信する送信部とからなるものである。
【００１５】
また、第１，第２の符号化映像ファイルのいずれか一方が高いビットレートの高品位の符号化映像ファイルであって、他方が低ビットレートの符号化映像ファイルであり、符号化部は、映像情報を符号化して高いビットレートの高品位の符号化映像ファイルを生成する第１の符号化回路と、映像情報を符号化して低いビットレートの符号化映像ファイルを生成する第２の符号化回路とを備えたものである。
【００１６】
さらに、第１の符号化回路はＭＰＥＧ−２規格で符号化処理し、第１の符号化回路はＭＰＥＧ−４規格で符号化処理するものである。
【００１７】
さらに、第１，第２の符号化映像ファイルのいずれか一方が高いビットレートの高品位の符号化映像ファイルであって、他方が低ビットレートの符号化映像ファイルであり、符号化部は、映像情報を符号化して高いビットレートの符号化映像ファイルを生成する符号化回路と、符号化回路で生成された高いビットレートの符号化映像ファイルをフォーマット変換して低いビットレートの符号化映像ファイルを生成するフォーマット変換回路とを備えたものである。
【００１８】
さらに、符号化回路はＭＰＥＧ−２規格で符号化処理するものである。
【００１９】
上記目的を達成するために、本発明は、入力される映像情報を異なる第１，第２の符号化映像ファイルとして保存する第１の装置と、第１の装置から第２の符号化映像ファイルを取り込み可能な第２の装置とからなり、第１の装置は、入力される映像情報を符号化処理し、高ビットレートの第１の符号化映像ファイルを生成する符号化部と、第１の符号化映像ファイルが記録されて保存される記録部と、符号化部で生成された第１の符号化映像ファイルを低ビットレートの第２の符号化映像ファイルに変換する変換部と、第２の符号化映像ファイルを第２の装置に送出する送出手段と、外部からの編集命令を受信する受信部と、受信部で受信された編集命令に基づき、記録部から第１の符号化映像ファイルを取り込んで編集処理し、編集済みの第１の符号化映像ファイルを記録部に記録する第１の編集部とを備え、第２の装置は、第１の装置の送出手段から送出された第２の符号化映像ファイルを取り込む取込手段と、取込手段で取り込まれた第１の装置からの第２の符号化映像ファイルを、外部からの編集命令に基づいて、編集処理する第２の編集部と、編集命令を第１の装置の受信部に送信する送信部と、第２の編集部による編集済みの第２の符号化映像ファイルを復号し、表示するための手段とを備え、第１の装置での第１の編集部は、第２の装置からの編集命令に基づき、第２の装置での第２の符号化映像ファイルの編集処理に自動的に反映して、編集処理される第２の符号化映像ファイルと同じ映像情報から生成された第１の符号化映像ファイルを記録部から取り込んで編集処理するものである。
【００２０】
そして、符号化部は、映像情報の符号化処理とともに、符号化情報を作成し、第１または第２の符号化映像ファイルの編集処理に用いるものである。
【発明の効果】
【００２１】
本発明によると、同一の映像情報が２種類の符号化映像ファイルで記録される記録機器において、かかる映像情報を編集するに際し、これら２種類の符号化映像ファイルの一方を編集することにより、他方の符号化映像ファイルも自動的に同一内容の編集がなされることになり、編集者の編集作業を削減して、同一映像情報から作成された２種類の符号化映像ファイルを常に同じ内容のファイルとすることができる。
【００２２】
本発明によると、さらに、記録機器に保存されている符号化映像ファイルの一方を携帯機器に取り込んで、これを携帯機器で編集することにより、記録機器に保存されている他方の符号化映像ファイルも自動的に同じ内容で編集されるものであるから、遠隔編集も可能となる。
【００２３】
また、本発明によると、記録機器に保存されている符号化映像ファイルが１種類であっても、端末装置でこれを直接あるいは所定の符号化方式の映像ファイルに変換して取得し、編集することにより、記録機器に保存されている符号化映像ファイルも自動的に同じ内容で編集されるものであるから、かかる記録機器に保存されている符号化映像ファイルの遠隔編集も可能となる。
【発明を実施するための最良の形態】
【００２４】
以下、本発明の実施形態を図面を用いて説明する。
【００２５】
図１は本発明による動画像編集システムの第１の実施形態を示す構成図であって、１は記録編集装置である。
【００２６】
同図において、この第１の実施形態は編集機能を備えた記録編集装置１から構成されるものであって、図示しないビデオカメラや放送番組受信装置などから供給される映像情報１００が、記録編集装置１において、符号化され、符号化映像ファイルとして記録される。かかる符号化映像ファイルは、記録編集装置１で映像表示することもできるし、また、図示しない操作部を操作して編集指令１０４を与えることにより、編集することもできる。
【００２７】
図２は図１における記録編集装置１の一具体例を示すブロック図であって、１０は符号化部、１１は記録部、１２は復号部、１３は表示部、１４はユーザＩ／Ｆ（インターフェイス）部、１５Ａ，１５Ｂは編集部である。
【００２８】
同図において、記録編集装置１は編集機能を備えたハードディスクレコーダなどのレコーダであって、入力された映像情報１００は符号化部１０に供給され、２種類の符号化映像ファイル１０１Ａ，１０１Ｂが生成される。また、これら符号化映像ファイル１０１Ａ，１０１Ｂが生成されるとき、符号化情報１０１Ｃも生成される。生成されたこれら符号化映像ファイル１０１Ａ，１０１Ｂと符号化情報１０１Ｃは、記録部１１に記録される。また、符号化映像ファイル１０１Ａには、その元となる映像情報１００を表わす情報やこの映像情報から生成される他方の符号化映像ファイル１０１Ｂに関する情報が、付加情報として、追加されており、同様に、符号化映像ファイル１０１Ｂにも、その元となる映像情報１００を表わす情報やこの映像情報から生成される他方の符号化映像ファイル１０１Ａに関する情報が、付加情報として、追加されている。
【００２９】
ここで、符号化部１０での符号化方式としては、例えば、ＭＰＥＧ規格を採用することができ、この場合の符号化部１０の具体例を図３に示す。
【００３０】
図３（ａ）に示す具体例は、ＭＰＥＧ−２規格による符号化処理を行なう符号化回路１０ＡとＭＰＥＧ−４規格による符号化処理を行なう符号化回路１０Ｂとで構成されている。入力された映像情報１００は、一方では、符号化回路１０ＡでＭＰＥＧ−２規格の符号化処理がなされてビットレートが高い高品位の動画のための符号化映像ファイル１０１Ａが生成され、これと同時に、符号化回路１０ＢでＭＰＥＧ−４規格の符号化処理がなされて移動通信などに用いられるビットレートが低い符号化映像ファイル１０１Ｂが生成される。
【００３１】
図３（ｂ）に示す具体例は、１つの符号化回路１０Ａと１つのフォーマット変換回路１０Ｃとで構成されている。入力された映像情報１００は符号化回路１０ＡでＭＰＥＧ−２規格による符号化処理が行なわれてビットレートが高い高品位の符号化映像ファイル１０１Ａが生成され、また、この符号化映像ファイル１０１Ａがフォーマット変換回路１０Ｃに供給されてフォーマット変換処理され、ビットレートが低い符号化映像ファイル１０１Ｂが生成される。このフォーマット変換回路１０Ｃによる変換処理としては、例えば、ＭＰＥＧ−２からＭＰＥＧ−４へのトランスコード処理や高解像度のＭＰＥＧ−２による符号化映像ファイル１０１Ａから低解像度のＭＰＥＧ−２の符号化映像ファイル１０１Ｂへの解像度変換などを用いることができる。
【００３２】
図２に戻って、符号化情報１０１Ｃは、例えば、ピクチャサイズ情報（縦×横）やピクチャタイプ情報（Ｉ，Ｐ，Ｂピクチャなど），ピクチャデータ量情報（Ｂｙｔｅ単位など），ＧＯＰ構造情報（ピクチャ枚数など）などの少なくとも１つからなるものであるが、また、符号化映像ファイル１０１Ａ，１０１Ｂの相関関係を示す情報であってもよい。相関関係を示す情報の一例としては、符号化映像ファイル１０１Ａ，１０１Ｂの対応するＧＯＰ先頭位置やフレーム位置などを表す情報がある。これらの対応するＧＯＰ先頭位置を示す情報としての符号化情報１０１Ｃは、例えば、符号化映像ファイル１０１ＡのＧＯＰ先頭位置の情報とこのＧＯＰ先頭位置に対応する符号化映像ファイル１０１ＢのＧＯＰ先頭位置の情報とを対とする（即ち、これらＧＯＰ先頭位置の対応関係を示す）情報である。フレーム位置を示す情報としての符号化情報１０１Ｃも、フレーム位置に関して同様である。このことは、後述する他の実施形態においても、同様である。
【００３３】
また、記録部１１は、例えば、ハードディスク，半導体メモリ，ＤＶＤ，Blu-rayによる光ディスクなどの記録媒体を用いたドライブであって、符号化映像ファイル１０１Ａ，１０１Ｂを、さらには、符号化情報１０１Ｃを同時に記録することができるし、また、これらを同時に、もしくは符号化映像ファイル１０１Ａ，１０１Ｂを別々に再生することができる構成をなしている。さらには、記録と再生を同時に行なうこともできる。このことは、後述する実施形態についても、同様である。なお、記録編集装置１は、かかるドライブを備えたレコーダなどである。
【００３４】
ユーザが記録部１１に記録されている映像ファイルを閲覧するために、所定の操作をすると、記録部１１に記録されている符号化映像ファイル１０１Ｂのうち、ユーザが指定した映像ファイルが符号化映像ファイル１０２Ｂとして読み出され、復号化部１２に供給されて映像信号１０３に復号される。この映像信号１０３は表示部１３に供給され、この指定された映像ファイルが表示される。なお、符号化映像ファイル１０１Ａを読み出して、表示部１３で映像表示するようにしてもよい。しかし、以下では、表示部１３で映像表示されるのは、低ビットレートの符号化映像ファイル１０２Ｂとする。
【００３５】
記録部１１に記録されている映像ファイルを編集する場合には、編集の対象となる映像ファイルを記録部１１から読み取り、これを、上記のようにして、表示部１３でモニタしながら編集区間を特定することができる。このようにして、この映像ファイルの編集のための特定区間が決まり、ユーザが物理的な操作ボタンのＯＮ／ＯＦＦ操作や外部入力装置（キーボードやリモートコントローラなど）で編集操作を行なうと、編集しようとする映像ファイルに対する編集命令１０４がユーザＩ／Ｆ部１４に供給される。ユーザＩ／Ｆ部１４は、この編集命令１０４を、例えば、この編集対象として指定した映像ファイルの読み出し命令やその符号化映像ファイルの編集のための特定区間を切り出す際の切り出し開始位置指定命令や切出し終了位置指定命令，切り出し編集開始命令などからなる編集命令１０５に変換し、編集部１５Ａ，１５Ｂに供給する。
【００３６】
この編集命令１０５により、記録部１１では、指定される映像ファイルが、上記の付加情報をもとに、検索され、この指定映像ファイルの符号化映像ファイル１０２Ａと符号化映像ファイル１０１Ｂとが読み出される。このような符号化映像ファイルの記録部１１からの読出しは、図示しない管理部によって行なわれる。
【００３７】
記録部１１から読み出された符号化映像ファイル１０２Ｂは、上記のように、復号化部１２で復号化され、表示部１３で映像表示されるとともに、編集部１５Ｂに供給され、ユーザＩ／Ｆ部１４からの編集命令１０５に応じて編集処理（この場合、上記特定区間の切り出し編集）され、編集済みの符号化映像ファイル１０８Ｂとして記録部１１に記録される。復号化部１２で符号化映像ファイル１０２Ｂを復号する際、この符号化映像ファイル１０２Ｂに関し、ピクチャサイズ情報（縦×横）やピクチャタイプ情報（Ｉ，Ｐ，Ｂピクチャなど），ピクチャデータ量情報（Ｂｙｔｅ単位など），ＧＯＰ構造情報（ピクチャ枚数など）などの少なくとも１つからなる復号化情報１１０を作成してもよく、その場合には、編集部１５Ｂでは、編集処理にこの復号化情報１１０を利用するようにしてもよい。
【００３８】
また、記録部１１から読み出された符号化映像ファイル１０２Ａは編集部１５Ａに供給され、ユーザＩ／Ｆ部１４からの編集命令１０５に応じて編集処理（この場合、上記特定区間の切り出し編集）される。この編集部１５Ａでの符号化映像ファイル１０２Ａの編集内容は、編集部１５Ｂでの符号化映像ファイル１０２Ｂの編集内容と同じである。従って、編集部１５Ｂで符号化映像ファイル１０２Ｂに対して特定区間の切り出し編集が行なわれると、編集部１５Ａにおいても、符号化映像ファイル１０２Ａでの、編集部１５Ｂで切り出し編集される符号化映像ファイル１０２Ｂの特定区間に相当する特定区間の切り出し編集が行なわれる。以下では、編集部１５Ａ，１５Ｂでのかかる編集を同じ編集という。従って、上記の場合、符号化映像ファイル１０２Ａは、編集部１５Ａにより、符号化映像ファイル１０２Ｂの編集部１５Ｂでの編集と同じ編集がなされる、ということになる。
【００３９】
編集部１５Ａで編集された符号化映像ファイル１０２Ａは、編集済みの符号化映像ファイル１０８Ａとして、記録部１１に記録される。
【００４０】
なお、先の符号化情報１０１Ｃが作成されて記録部１１に記録されているときには、記録部１１からの符号化映像ファイル１０２Ａ，１０２Ｂの読出しとともに、この符号化情報１０１Ｃを読出し、編集部１５Ａで符号化映像ファイル１０２Ａを編集処理する際、この符号化情報１０１Ｃを利用するようにしてもよい。また、編集部１５Ｂで符号化映像ファイル１０２Ｂを編集する際、復号化部１２からの復号化情報１１０の代わりに、この符号化情報１０１Ｃを利用するようにしてもよい。勿論、符号化情報１０１Ｃが作成されない場合には、編集部１５Ａで符号化映像ファイル１０２Ａを編集処理する際、編集部１５Ｂで作成される復号化情報１１０を利用するようにしてもよい。
【００４１】
かかる符号化情報１０１Ｃや復号化情報１１０は、編集命令１０５による符号化映像ファイル１０２Ａ，１０２Ｂの切り出し開始位置や切り出し終了位置を探索するのに用いられるものである。例えば、編集命令１０５によって符号化映像ファイル１０２Ｂの所定のＧＯＰ先頭位置を切り出し開始位置として指定される場合、この符号化情報１０１Ｃを利用することにより、この符号化映像ファイル１０２Ｂの編集命令１０５による切り出し開始位置となるＧＯＰ先頭位置に対応する符号化映像ファイル１０２ＡのＧＯＰ先頭位置が決まり、このＧＯＰ先頭位置を符号化映像ファイル１０２Ａの切り出し開始位置とすることができる。このように、編集者（ユーザ）が、一方の符号化映像ファイルの所定のＧＯＰ先頭位置を切り出し開始位置と指定するだけで、これに対応する他方の符号化映像ファイルのＧＯＰ先頭位置をこの他方の符号化映像ファイルの切り出し開始位置と指定することが可能となる。復号化情報１１０を用いる場合も、同様である。
【００４２】
また、編集部１５Ｂは、符号化映像ファイル１０２Ｂの編集時、編集情報１１１として、符号化情報１０１Ｃや復号化情報１１０，編集命令１０５，編集済みの符号化映像ファイル１０８Ｂによる映像イメージを表示部１３で表示させるようにしてもよい。この場合、かかる編集済みの符号化映像ファイル１０８Ｂは復号化部１２に供給されて復号される。表示部１３では、復号化部１２からの映像信号１０３の表示画面に符号化情報１０１Ｃや復号化情報１１０，編集命令１０５がＯＳＤ(On Screen Display）で重ね合わされて表示される。この場合の映像信号１０３は、記録部１１から読み出された符号化映像ファイル１０２Ｂが復号化部１２で復号されたものであってもよいし、編集部１５Ｂで編集済みの符号化映像ファイル１０８Ｂが復号化部１２で復号されたものであってもよい。
【００４３】
このようにして、この第１の実施形態では、符号化映像ファイル１０２Ｂについて編集処理が行なわれると、この編集処理が符号化映像ファイル１０２Ａに対して自動的に反映されることになる。従って、同じ映像情報１００から作成された２つの符号化映像ファイル１０２Ａ，１０２Ｂを編集する場合、ユーザとしては、一方の符号化映像ファイル１０２Ｂに対して編集作業をするだけで済むことになり、作業の手間と時間とを大幅に削減できることになる。
【００４４】
ここで、記録編集装置１がハードディスクレコーダである場合の動作について説明する。
【００４５】
ユーザの記録編集装置本体のボタン操作やリモートコントローラの操作により、図示しない受信装置によってユーザが希望する放送番組が受信されると、この放送番組の内容（映像情報及び音声情報。以下同様）が番組内容情報１００としてハードディスクレコーダ１に入力される。ここで、符号化部１０が図３（ａ）に示す構成をなしているとすると、この番組内容情報１００は符号化部１０に供給されて符号化処理され、ＭＰＥＧ−２規格による符号化番組情報ファイル１０１ＡとＭＰＥＧ−４規格による符号化番組情報ファイル１０１Ｂとが作成されて、夫々記録部１１に記録される。
【００４６】
このようにして、ユーザが選択する所望の放送番組が記録部１１に記録されるが、ここで、ユーザが記録編集装置本体のボタン操作やリモートコントローラの編集操作を行なってハードディスクレコーダ１に所望の番組映像情報ファイルの編集命令１０４を送ると、ハードディスクレコーダ１では、ユーザＩ／Ｆ部１４でこの編集命令１０４から編集命令１０５が生成され、この編集命令１０５に従って、編集部１５Ｂで記録部１１から読み出された符号化番組情報ファイル１０２Ｂが編集され、編集済みの符号化番組情報ファイル１０８Ｂとして記録部１１に記録される。
【００４７】
また、これとともに、ユーザＩ／Ｆ部１４からの編集命令１０５は編集部１５Ａにも供給されることにより、編集部１５Ｂで編集された符号化番組情報ファイル１０２Ｂと同じ放送番組のＭＰＥＧ−２規格による符号化番組情報ファイル１０２Ａが記録部１１から読み出され、編集部１５Ａでこの符号化番組情報ファイル１０２Ｂと同じ内容の編集処理が自動的に行なわれる。編集済みの符号化映像ファイル１０８Ａは、記録部１１に記録される。記録部１１では、この放送番組の編集前の符号化番組情報ファイル１０２Ａ，１０２Ｂが編集済みの符号化番組情報ファイル１０８Ａ，１０８Ｂによって書き替えられる。なお、後述する他の実施形態においても、説明は省略するが、かかる書き替えが行なわれるものである。
【００４８】
以上の編集により、記録部１１では、ユーザが編集指定した番組映像情報ファイルとしては、編集済みの符号化番組情報ファイル１０８Ａ，１０８Ｂが記録されていることになる。
【００４９】
なお、以上の編集では、上記のように、符号化情報１０１Ｃや復号化情報１１０などを利用することも可能である。また、編集情報１１１や編集後の符号化番組ファイルの映像イメージを、上記のようにして、表示部１３で表示させるようにすることもできる。
【００５０】
このようにして、ＭＰＥＧ−４規格で符号化されて記録された符号化番組情報ファイル１０２Ｂを編集する作業をするだけで、同じ番組内容情報１００からのＭＰＥＧ−２規格で符号化されて記録された符号化番組情報ファイル１０２Ａも同時に編集されることになる。なお、ＭＰＥＧ−２規格による符号化番組情報ファイル１０２Ａの編集作業をすることにより、ＭＰＥＧ−４規格による符号化番組情報ファイル１０２Ｂが自動的に同じ内容で編集される構成としてもよい。また、復号化部１２で復号し、表示部１３で映像表示される番組映像情報ファイルとしては、ＭＰＥＧ−４規格で符号化され符号化番組情報ファイル１０２Ｂとしたが、ＭＰＥＧ−２規格で符号化された符号化番組情報ファイル１０２Ａであってもよい。さらに、符号化されて記録部１１に記録される番組情報ファイルとしては、音声データであってもよいし、映像データであってもよいし、その他のデータであってもよく、これらが組み合わされたものであってもよい。このように異なる種類のデータを取り扱う場合には、少なくとも符号化部１０や編集部１５Ａ，１５Ｂはデータの種類毎に設けられる。このことは、後述する実施形態においても、同様である。
【００５１】
図４は本発明による動画像記録システムの第２の実施形態を示す構成図であって、１Ａは記録編集装置、２は端末装置、３は記録媒体、４は伝送路であり、図１に対応する部分には同一符号をつけている。
【００５２】
同図において、編集記録装置１Ａは、図２における編集記録装置１Ａと同様、入力された映像情報１００を符号化することにより、２種類の符号化映像ファイルを作成して記録し、また、記録されている符号化映像ファイルのいずれか一方の編集を可能とするものである。また、この記録編集装置１Ａは、記録媒体３を介して、端末装置２との間で他方の符号化映像ファイルのやり取りができるようにしている。
【００５３】
端末装置２では、記録編集装置１Ａから記録媒体３を介して取り込んだ他方の符号化映像ファイルの編集ができ、この編集時に編集命令１０６を伝送路４を介して記録編集装置１Ａに送ることにより、記録編集装置１Ａで上記一方の符号化映像ファイルの編集が行なわれる。端末装置２で編集された他方の符号化映像ファイルは、記録媒体３を用いて記録編集装置１Ａに送ることにより、記録編集装置１Ａに記録される。
【００５４】
このようにして、この第２の実施形態では、端末装置２でいずれか一方の符号化映像ファイルを編集することにより、この符号化映像ファイルと同じ映像情報１００から作成された他方の符号化映像ファイルが、記録編集装置１Ａにおいて、自動的に同じ内容で編集処理されることになる。
【００５５】
なお、端末装置２としては、携帯電話，ＰＤＡなどの携帯機器や携帯形，据置形のパソコンなどであり、記録媒体３としては、ハードディスクや半導体メモリ，ＤＶＤ，Blu-rayの光ディスクなどを用いることができる。また、伝送路４としては、インターネット接続網や携帯電話用のネットワーク網などであり、無線伝送路であってもよいし、また、有線伝送路，光ファイバなどによる伝送路であってもよい。このことは、後述する実施形態についても、同様である。
【００５６】
図５は図４における記録編集装置１Ａの一具体例を示すブロック図であって、１６は受信部、１７Ａは記録媒体Ｉ／Ｆ部であり、図２及び図４に対応する部分には同一符号をつけて重複する説明を省略する。
【００５７】
同図において、記録編集装置１Ａは、図２に示す記録編集装置１と同様、編集機能を備えたハードディスクレコーダなどのディスクレコーダであって、外部から入力された映像情報１００が符号化部１０で符号化処理されて、上記の付加情報が付加された符号化映像ファイル１０１Ａ，１０１Ｂが生成され、記録部１１に記録される。これと同時に、符号化情報１０１Ｃも生成されて記録部１１に記録するようにしてもよい。
【００５８】
記録編集装置１Ａには、記録媒体Ｉ／Ｆ部１７Ａが設けられており、これに記録媒体３を着脱可能に装着することができる。記録媒体Ｉ／Ｆ部１７Ａに記録媒体３が装着されているときには、ユーザの図示しない操作部で映像情報ファイルを指定操作すると、図示しない管理部により、記録部１１から指定された符号化映像ファイル１０２Ｂが付加情報をもとに検索されて読み出され、これが記録媒体３に記録されるし、また、記録媒体３に記録されている符号化映像ファイルが記録部１１に記録される。従って、ユーザは、記録媒体３を記録媒体Ｉ／Ｆ部１７Ａに装着し、記録部１１から所望の映像情報の符号化映像ファイル１０２Ｂを読み取って記録媒体３に記録させ、しかる後、この記録媒体３を記録媒体Ｉ／Ｆ部１７Ａから取り外して端末装置２（図４）に装着することにより、この記録媒体３に記録した符号化映像ファイル１０２Ｂを端末装置２に取り込むことができ、取り込んだ映像情報ファイルを再生して表示させたり、また、編集したりすることもできる。
【００５９】
このように、端末装置２で記録編集装置１Ａから上記のように取得した符号化映像ファイル１０２Ｂを編集するときには、この符号化映像ファイル１０２Ｂと同じ映像情報１００から生成されて記録部１１に記録されている他方の符号化映像ファイル１０１Ａを編集させるための編集命令１０６が端末装置２から伝送路４（図４）を介して記録編集装置１Ａに送られる。この編集命令１０６は図２での編集命令１０４を変調したものと同様のものであり、受信部１６で受信されて復調される。受信部１６は、かかる編集命令１０６の受信機能と図２におけるユーザＩ／Ｆ部１４と同様の機能とを有しており、これにより、受信した編集命令１０６を復調し、図２における編集命令１０５と同様の編集命令１０７を生成する。この編集命令１０７により、編集部１５Ａは、記録部１１から編集対象となる上記の符号化映像ファイル１０１Ａを符号化映像ファイル１０２Ａとして読み取り、端末装置２（図４）での符号化映像ファイル１０２Ｂの編集処理と対応付けて編集する。即ち、編集部１５Ａでは、端末装置２での符号化映像ファイル１０２Ｂと同じ内容の編集処理が符号化映像ファイル１０２Ａに対して行なわれる。このように編集された符号化映像ファイル１０２Ｂは、編集済みの符号化映像ファイル１０８Ａとして、記録部１１に記録される。
【００６０】
また、端末装置２で編集済みの符号化映像ファイル１０８Ｂを記録した記録媒体３を記録媒体Ｉ／Ｆ部１７Ａに装着することにより、この編集済みの符号化映像ファイル１０８Ｂが記録媒体３から読み出されて記録部１１に記録される。
【００６１】
このようにして、記録部１１においては、編集前の同じ映像情報１００から生成された符号化映像ファイル１０２Ａ，１０２Ｂが同じ編集済みの符号化映像ファイル１０８Ａ，１０８Ｂに書き替えられることになる。
【００６２】
図６は図４における端末装置２の一具体例を示すブロック図であって、１７Ｂは記録媒体Ｉ／Ｆ、１８は送信部であり、図２に対応する部分には同一符号をつけて重複する説明を省略する。
【００６３】
同図において、端末装置２には、図２に示す記録編集装置１に設けられている復号化部１２，表示部１３，ユーザＩ／Ｆ部１４，編集部１５Ｂと夫々同じ動作をする復号化部１２，表示部１３，ユーザＩ／Ｆ部１４，編集部１５Ｂが設けられており、これに加えて記録媒体Ｉ／Ｆ部１７Ｂと送信部１８とが設けられている。
【００６４】
記録媒体Ｉ／Ｆ部１７Ｂは、図５に示す記録編集装置１Ａの記録媒体Ｉ／Ｆ部１７Ａで使用される記録媒体３を着脱可能に用いることができるものであって、記録媒体３が装着されているときには、この記録媒体３に記録されている符号化映像ファイル１０２Ｂを読み出して復号化部１２で復号化し、表示部１３で表示させることができるし、編集部１５Ｂで編集命令１０５による編集処理をすることができ、また、この符号化映像ファイル１０２Ｂを編集部１５Ｂで編集する場合には、その編集処理による編集済みの符号化映像ファイル１０８Ｂを記録媒体３に記録する。この記録媒体３に記録されている符号化映像ファイル１０２Ｂは、上記のように、記録編集装置１Ａ（図５）の記録媒体Ｉ／Ｆ部１７Ａで記録部１１から読み出されて記録媒体３に記録された符号化映像ファイル１０２Ｂである。
【００６５】
また、記録媒体３に記録されている符号化映像ファイル１０２Ｂを編集するに際し、ユーザＩ／Ｆ部１４で編集命令１０４から生成された編集命令１０５は、編集部１５Ｂに供給されるとともに、送信部１８にも供給されて変調され、上記の編集命令１０６として、伝送路４（図４）を介し、記録編集装置１Ａ（図５）に送信される。
【００６６】
編集部１５Ｂで編集済みの符号化映像ファイル１０８Ｂは、記録媒体Ｉ／Ｆ部１７Ｂにより、記録媒体３に記録され、その後、図５において、この記録媒体３を記録編集装置１Ａの記録媒体Ｉ／Ｆ部１７Ａに装着することにより、この編集済みの符号化映像ファイル１０８Ｂが記録部１１に記録される。
【００６７】
なお、ここでは、符号化映像ファイル１０２Ｂを端末装置２で編集処理し、符号化映像ファイル１０２Ａを記録編集装置１Ａで編集処理するものとしたが、その逆であってもよい。その場合には、図５に示す記録編集装置１Ａでは、記録媒体Ｉ／Ｆ部１７Ａに装着された記録媒体３には、記録部１１から読み出された符号化映像ファイル１０２Ａが記録され、また、符号化映像ファイル１０２Ａを編集する編集部１５Ａの代わりに、符号化映像ファイル１０２Ｂを編集する編集部１５Ｂが設けられる。また、図６に示す端末装置２では、符号化映像ファイル１０２Ｂを編集する編集部１５Ｂの代わりに、符号化映像ファイル１０２Ａを編集する編集部１５Ａが設けられる。
【００６８】
次に、記録編集装置１Ａをハードディスクレコーダとし、符号化部１０が図３（ａ）に示す構成をなしているものとし、端末装置２を携帯電話とし、伝送路４をインターネット網とし、記録媒体３を半導体メモリとして、この第２の実施形態の一動作例を説明する。但し、ここでは、携帯電話２で符号化映像ファイル１０２Ｂが編集処理されるものとする。
【００６９】
図５において、ハードディスクレコーダ１Ａでは、図２におけるハードディスクレコーダ１と同様、ユーザによるボタン操作やリモートコントローラの操作により、図示しない受信装置によってユーザが希望する放送番組が受信されると、この放送番組の内容が番組内容情報１００としてに入力される。この番組内容情報１００は符号化部１０に供給されて符号化処理され、ＭＰＥＧ−２規格による符号化番組情報ファイル１０１ＡとＭＰＥＧ−４規格による符号化番組情報ファイル１０１Ｂとが作成され、夫々記録部１１に記録される。このようにして、所望の放送番組の符号化番組情報ファイル１０１Ａ，１０１Ｂが記録部１１に記録される。
【００７０】
ここで、ユーザが半導体メモリ３を記録媒体Ｉ／Ｆ部１７Ａに装着し、所望とする放送番組のファイルを指定操作すると、記録部１１からこの指定された放送番組のＭＰＥＧ−４規格による符号化番組情報ファイル１０２Ｂをその付加情報がもとに検索して読み出され、記録媒体３に書き込まれる。
【００７１】
しかる後、ユーザがこの記録媒体３を記録媒体Ｉ／Ｆ部１７Ａから取り外し、図６に示す携帯電話２の記録媒体Ｉ／Ｆ部１７Ｂに装着すると、この半導体メモリ３に記録されている符号化番組情報ファイル１０２Ｂを再生表示させることもできるし、また、編集することもできる。
【００７２】
即ち、再生表示させる場合には、ユーザが携帯電話２でそのための操作をすると、半導体メモリ３からこの符号化番組情報ファイル１０２Ｂが読み出されて復号化部１２で復号され、番組映像信号１０３として表示部１３に供給される。これにより、この符号化番組情報ファイル１０２Ｂの放送番組が表示されることになる。
【００７３】
また、ユーザが携帯電話２を操作して編集を指示すると、ユーザＩ／Ｆ部１４に編集命令１０４が入力されて編集命令１０５に変換され、編集部１５Ｂに供給される。編集部１５は、この編集命令１０５を受けると、半導体メモリ３から符号化番組情報ファイル１０２Ｂを読み出して取り込み、この編集命令１０５に応じた編集処理をする。編集された符号化番組情報ファイル１０２Ｂは、編集済みの符号化番組情報ファイル１０８Ｂとして、記録媒体Ｉ／Ｆ部１７Ｂの半導体メモリ３に記録される。このようにして、半導体メモリ１では、編集済みの符号化映像ファイル１０８Ｂに書き替えられる。なお、予めこの符号化番組情報ファイル１０２Ｂを復号して表示部１３で表示し、その表示内容を見ながらどのように編集するかを決めるようにし、これにより、編集命令１０４が作成される。また、編集時の表示部１３での表示は、図２に示す記録編集装置１の場合と同様である。
【００７４】
編集命令１０５は、また、送信部１８にも供給されて変調され、編集命令１０６として、インターネット網４（図４）を介し、図５に示すハードディスクドライバ１Ａに送信される。なお、編集命令１０４には、半導体メモリ３に記録されている符号化番組情報ファイル１０２Ｂの付加情報をもとに、この符号化番組情報ファイル１０２Ｂのもとになる放送番組の映像情報１００（図５）に関する情報も付加されており、編集命令１０６として送信される。
【００７５】
そこで、図５に示すハードディスクレコーダ１Ａにおいては、この編集命令１０６が受信部１６で受信されて復調されることにより、編集命令１０７が得られて編集部１５Ａに供給される。編集部１５Ａでは、この編集命令１０７に付加されている上記の情報に基づいて記録部１１から読み出される該当する符号化番組情報ファイル１０２Ａが編集命令１０７に応じて編集処理され、編集済みの符号化映像ファイル１０８Ａとして、記録部１１に記録される。
【００７６】
以上のようにして、この第２の実施形態では、上記の第１の実施形態とはユーザが編集のための操作をする装置が端末装置２であることの違いがあるが、記録部１１での同じ映像情報１００から生成された符号化映像ファイル１０２Ａ，１０２Ｂのいずれか一方をユーザが編集操作することにより、他方も自動的にかつ同時に同じ編集がなされることになり、同様の効果が得られるし、さらに、端末装置２からの遠隔編集が可能となるので、ユーザは、端末装置２で閲覧した映像情報ファイルについて、記録編集装置１Ａまで足を運ぶことなく、この記録編集装置１Ａに保存されている他方の符号化映像ファイルの編集が可能となる。
【００７７】
なお、この第２の実施形態では、符号化番組情報ファイル１０２Ａ，１０２Ｂのいずれか一方を端末装置２で編集し、これに伴って他方が記録編集装置１Ａで編集されるものとしたが、記録編集装置１Ａに、さらに、両方の符号化映像ファイル毎に編集部を設け、端末装置２による遠隔編集に加え、図２に示した記録編集装置１と同様、記録編集装置１Ａで両方の符号化映像ファイルの編集もできるようにしてもよい。
【００７８】
また、記録編集装置１Ａに、さらに、復号化部と表示部とを設け、記録部１１に記録されている符号化映像ファイルの表示もできるようにしてもよい。
【００７９】
さらに、編集命令１０５を伝送路４を介して伝送する際、この編集命令１０５を暗号化するようにしてもよい。この場合、受信部１６（図５）では、受信した編集命令１０６の復調と復号（解読）との処理が行なわれる。
【００８０】
さらにまた、記録媒体３に符号化映像ファイルを記録するときには、この符号化映像ファイルを暗号化するようにしてもよい。この場合には、記録編集装置１Ａの記録媒体Ｉ／Ｆ部１７Ａ，端末装置２の記録媒体Ｉ／Ｆ部１７Ｂに夫々、暗号／復号化部が設けられる。
【００８１】
さらにまた、記録部１１から読み出した符号化映像ファイル１０２Ｂを記録媒体Ｉ／Ｆ部１７Ａに装着された記録媒体３に記録する際、この記録部１１に記録されている符号化情報１０１Ｃも読み出して記録媒体に記録し、端末装置２の編集部１５Ｂで符号化映像ファイル１０２Ｂを編集する場合、この符号化情報１０１Ｃを用いるようにしてもよい。
【００８２】
図７は本発明による動画像記録システムの第３の実施形態を示す構成図であって、１Ｂは記録編集装置、２Ａは端末装置であり、図４に対応する部分には同一符号をつけている。
【００８３】
同図において、図４〜図６で示した第２の実施形態は、記録編集装置１Ａと端末装置２との間の符号化映像ファイルのやり取りを記録媒体３でもって行なうようにしたものであるが、この第３の実施形態では、伝送路４を介して行なうようにしたものである。
【００８４】
即ち、端末装置２Ａから伝送路４を介して所望の映像情報のファイルを要求すると、このファイルに対する符号化映像ファイル１０２Ｂが内蔵の記録部から読み出されて、伝送路４を介し、端末装置２Ａに送られる。端末装置２Ａでは、この符号化映像ファイル１０２Ｂを受信し、表示部で表示させることができるし、また、編集することができる。編集する場合には、端末装置２Ａから伝送路４を介して編集命令１０６が記録編集装置１Ｂに送られるとともに、編集済みの符号化映像ファイル１０８Ｂが、編集済みの符号化映像ファイル１０８Ｃとして、伝送路４を介し記録編集装置１Ｂに送られる。記録編集装置１Ｂでは、受信されたこの編集済みの符号化映像ファイル１０８Ｂが内蔵の記録部に記録される。
【００８５】
なお、この記録部は、上記のように、ハードディスクや半導体メモリ，ＤＶＤ，Blue-rayなどによる光ディスクのドライブであり、記録編集装置１Ｂはかかるドライブを備えたレコーダなどである。また、端末装置２Ａは、携帯電話や携帯端末（ＰＤＡ），携帯形や据置形のパソコンなどである。
【００８６】
図８は図７における記録編集装置１Ｂの一具体例を示すブロック図であって、１６Ａは受信部、１９は送信部であり、図５に対応する部分には同一符号をつけて重複する説明を省略する。
【００８７】
同図において、この記録編集装置１Ｂは、基本的には、図５に示す記録編集装置１Ａと同様の構成をなし、同様の機能を有するものであるが、端末装置２Ａとの間でファイルの通信も行なうものであるため、記録編集装置１Ａでの記録媒体Ｉ／Ｆ部１７Ａの代わりに送信部１９が設けられ、また、記録編集装置１Ａでの受信部１６の代わりに受信部１６Ａが設けられている。
【００８８】
ここで、受信部１６Ａは、端末装置２Ａからの夫々変調されている符号化映像ファイルの読出し命令や編集命令１０６に加えて、編集済みの符号化映像ファイル１０８Ｃも受信するものであり、読出し命令を受信すると、これを復調して図示しない管理部に送る。この管理部は、この読出し命令により、指定される映像情報のファイルに対する符号化映像ファイル１０２Ｂを記録部１１から読み出す。読み出されたこの符号化映像ファイル１０２Ｂは送信部１９に供給されて変調され、符号化映像ファイル１０２Ｃとして、伝送路４（図７）を介し、端末装置２Ａに送信される。
【００８９】
また、受信部１６Ａは、変調された編集命令１０６を受信すると、図５に示す記録編集装置１Ａの受信部１６と同様に、これを復調して編集命令１０７を生成し、編集部１５Ａに供給する。編集部１５Ａは記録部１１からこの編集命令１０７が指定する映像情報の符号化映像ファイル１０２Ａを読み取って編集し、編集済みの符号化映像ファイル１０８Ａとして記録部１１に記録する。
【００９０】
さらに、受信部１６Ａは、編集済みの符号化映像ファイル１０８Ｃを受信して編集済みの符号化映像ファイル１０８Ｂに復調し、記録部１１に記録する。
【００９１】
以上の点以外は、図５に示す記録編集装置１Ａと同様である。
【００９２】
図９は図７における端末装置２Ａの一具体例を示すブロック図であって、１８Ａは送信部、２０は受信部であり、図６に対応する部分には同一符号をつけて重複する説明を省略する。
【００９３】
同図において、この端末装置２Ａは、基本的には、図６に示す端末装置２と同様の構成をなし、同様の機能を有するものであるが、記録編集装置１Ｂとの間でファイルの通信も行なうものであるため、端末装置２（図６）での記録媒体Ｉ／Ｆ部１７Ｂの代わりに受信部２０が設けられ、また、端末装置２での送信部１８の代わりに送信部１８Ａが設けられている。
【００９４】
ここで、受信部２０は、記録編集装置１Ｂの送信部１９から送信された符号化映像ファイル１０２Ｃを受信して符号化映像ファイル１０２Ｂに復調するものであり、この符号化映像ファイル１０２Ｂは編集部１５Ｂと復号化部１２とに供給される。
【００９５】
記録編集装置１Ｂの記録部１１（図５）から所望とする映像情報のファイルを取り込んで映像表示させる場合には、ユーザが所定の操作をすることにより、そのファイルを指定した読出し命令１０９がユーザＩ／Ｆ部１４に入力され、所定の処理がなされて送信部１８Ａで変調され、伝送路４を介して記録編集装置１Ｂに送信される。そして、この命令１０９に応じて指定された映像情報のファイルの符号化映像ファイル１０２Ｃが伝送路４を介して受信部２０で受信されると、これが符号化映像ファイル１０２Ｂに復調されて復号化部１２で復号され、映像信号１０３として表示部１３に供給される。これにより、この指定されたファイルが映像表示される。
【００９６】
記録編集装置１Ｂの記録部１１（図５）に記録されている所望とする映像情報のファイルを編集する場合には、端末装置２Ａにおいて、ユーザが所定の操作をすることにより、この所望とするファイルを指定する命令を含む編集命令１０４がユーザＩ／Ｆ部１４に入力される。ユーザＩ／Ｆ部１４では、この編集命令１０４から編集命令１０５が生成され、編集部１５Ｂに供給されるとともに、送信部１８Ａにも供給されて変調され、編集命令１０６として、伝送路４を介し、図８に示す記録編集装置１Ｂに供給される。
【００９７】
記録編集装置１Ｂでは、受信部１６Ａでこの編集命令１０６が受信されると、復調されて映像情報のファイルを指定する命令が抽出され、これをもとに、図示しない管理部が記録部１１から指定されたファイルの符号化映像ファイル１０２Ａ，１０２Ｂを読み出す。また、受信部１６Ａでは、編集命令１０６から編集命令１０７が生成され、編集部１５Ａに供給される。
【００９８】
記録部１１から読み出された符号化映像ファイル１０２Ａは編集部１５Ａで編集命令１０７に応じて編集され、編集済みの符号化映像ファイル１０８Ａとして記録部１１に記録される。また、符号化映像ファイル１０２Ｂは送信部１９に供給されて変調され、符号化映像ファイル１０２Ｃとして、伝送路４（図７）を介し、端末装置２Ａに送信される。
【００９９】
一方、図９に示す端末装置２Ａでは、受信部２０で記録編集装置１Ｂからの符号化映像ファイル１０２Ｃが受信されて復調され、符号化映像ファイル１０２Ｂとして編集部１５Ｂに供給される。編集部１５Ｂでは、この符号化映像ファイル１０２ＢがユーザＩ／Ｆ部１４からの編集命令１０５に応じて編集され、編集済みの符号化映像ファイル１０８Ｂは送信部１８Ａに供給されて変調され、符号化映像ファイル１０８Ｃとして、伝送路４を介し、図８に示す記録編集装置１Ｂに送信される。この記録編集装置１Ｂでは、受信部１６Ａでこの符号化映像ファイル１０８Ｃが受信されて復調され、編集済みの符号化映像ファイル１０８Ｂとして、図示しない管理部の制御のもとに、記録部１１に記録される。
【０１００】
次に、記録編集装置１Ｂをハードディスクレコーダとし、符号化部１０が図３（ａ）に示す構成をなしているものとし、端末装置２Ａを携帯電話とし、伝送路４をインターネット網として、この第３の実施形態の一動作例を説明する。但し、ここでは、携帯電話２で符号化映像ファイル１０２Ｂが編集処理されるものとする。
【０１０１】
図８において、ハードディスクレコーダ１Ｂでは、図２におけるハードディスクレコーダ１と同様、ユーザによるボタン操作やリモートコントローラの操作により、図示しない受信装置によってユーザが希望する放送番組が受信されると、この放送番組の内容が番組内容情報１００として入力される。この番組内容情報１００は符号化部１０に供給されて符号化処理され、ＭＰＥＧ−２規格による符号化番組情報ファイル１０１ＡとＭＰＥＧ−４規格による符号化番組情報ファイル１０１Ｂとが作成され、夫々記録部１１に記録される。このようにして、所望の放送番組の符号化番組情報ファイル１０１Ａ，１０１Ｂが記録部１１に記録される。
【０１０２】
ここで、ユーザが携帯電話２Ａで所望とする放送番組のファイルを指定操作すると、上記のように、読出し命令１０９がこの携帯電話２Ａから記録編集装置１Ｂに送信され、この記録編集装置１Ｂでは、これが受信部１６Ａで受信されて記録部１１から指定されたこのファイルのＭＰＥＧ−４規格による符号化番組情報ファイル１０２Ｂをこれに付加されている上記の付加情報をもとに検索して読み出す。この符号化番組情報ファイル１０２Ｂは送信部１９に供給されて変調され、符号化映像ファイル１０２Ｃとして、インターネット網４を介し、携帯電話２に送信される。
【０１０３】
携帯電話２Ａでは、この符号化番組情報ファイル１０２Ｃが受信部２０で受信されて復調され、復号化部１２で復号されて表示部１３に供給される。これにより、この指定された放送番組のファイルが表示されることになる。
【０１０４】
また、ユーザが携帯電話２で編集を指示する操作をすると、ユーザＩ／Ｆ部１４に編集命令１０４が入力されて編集命令１０５に変換され、編集部１５Ｂに供給されるとともに、送信部１８Ａにも供給されて変調され、編集命令１０６として、インターネット網４（図４）を介し、図８に示すハードディスクドライバ１Ｂに送信される。なお、編集命令１０４には、編集の対象となる放送番組の映像情報１００（図８）に関する情報も付加されており、編集命令１０６として送信される。
【０１０５】
そこで、図８に示すハードディスクレコーダ１Ｂにおいては、この編集命令１０６が受信部１６で受信されて復調されることにより、編集命令１０７が得られて編集部１５Ａに供給される。編集部１５Ａでは、この編集命令１０７に付加されている上記の情報に基づいて記録部１１から読み出される該当する符号化番組情報ファイル１０２Ａが編集命令１０７に応じて編集処理され、編集済みの符号化番組情報ファイル１０８Ａとして、記録部１１に記録される。
【０１０６】
また、ハードディスクレコーダ１Ｂでは、受信した編集命令１０７をもとに、記録部１１から該当する符号化番組情報ファイル１０２Ｂが読み出され、送信部１９で変調されて、符号化番組情報ファイル１０２Ｃとして、インターネット網４を介して図９に示す携帯電話２Ａに送信される。
【０１０７】
そこで、この携帯電話２Ａでは、この符号化番組情報ファイル１０２Ｃが受信部２０で受信されて復調され、編集部１５Ｂに供給され、編集命令１０５に応じた編集処理がなされる。この編集処理による編集済みの符号化映像ファイル１０８Ｂは、送信部１８Ａで変調されて、インターネット網４を介し、図８に示す記録編集装置１１Ｂに送信される。この記録編集装置１８では、この編集済みの符号化映像ファイル１０８Ｂが受信部１６Ａで受信されて復調され、記録部１１に記録される。
【０１０８】
以上のようにして、この第３の実施形態でも、記録部１１での同じ映像情報１００から生成された符号化映像ファイル１０２Ａ，１０２Ｂのいずれか一方をユーザが編集操作することにより、他方も自動的にかつ同時に同じ編集がなされることになり、しかも、遠隔編集が可能となって、上記の第２の実施形態と同様の効果が得られる。
【０１０９】
しかも、この第３の実施形態では、記録編集装置１Ｂの記録部１１に格納されている映像ファイルを通信によって端末装置２Ａに送るものであるから、上記第２の実施形態に比べて、かかるファイルを記録媒体で運ぶ手間が省ける。また、編集済みのファイルを通信で記録編集装置１Ｂに送るものであるから、この編集済みのファイルを記録媒体で記録編集装置１Ｂに運ぶ手間が省けるし、編集処理とともに、編集済みのファイルを記録編集装置１Ｂに送信できて記録部１１に確実に記録することができる。
【０１１０】
なお、この第３の実施形態でも、符号化番組情報ファイル１０２Ａ，１０２Ｂのいずれか一方を端末装置２で編集し、これに伴って他方が記録編集装置１Ａで編集されるようにすることができるものであるが、記録編集装置１Ａに、さらに、両方の符号化映像ファイル１０２Ａ，１０２Ｂに対して編集部を設け、端末装置２Ａによる遠隔編集に加え、図２に示した記録編集装置１と同様、記録編集装置１Ｂで両方の符号化映像ファイル１０２Ａ，１０２Ｂを編集することができるようにしてもよい。
【０１１１】
また、記録編集装置１Ｂに、さらに、復号化部と表示部とを設け、記録部１１に記録されている符号化映像ファイルの表示もできるようにしてもよい。
【０１１２】
さらに、読出し命令や編集命令１０５，符号化映像ファイルを伝送路４を介して伝送する際、これらを暗号化するようにしてもよい。この場合、受信部１６Ａ（図８）や受信号２０（図９）では、受信信号の復調と復号（解読）との処理が行なわれる。
【０１１３】
さらにまた、記録部１１から読み出した符号化映像ファイル１０２Ｂを送信部１９から端末装置２Ａに送信するとき、この記録部１１に記録されている符号化情報１０１Ｃも読み出して送信し、端末装置２Ａの編集部１５Ｂで符号化映像ファイル１０２Ｂを編集する場合、この符号化情報１０１Ｃを用いるようにしてもよい。
【０１１４】
図１０は本発明による動画像記録システムの第４の実施形態における記録編集装置の一具体例を示すブロック図であって、１Ｃはこの具体例の記録編集装置、１０ａは符号化部、１１Ａは記録部、１６Ｂは受信部、２１はフォーマット変換部であり、図８に対応する部分には同一符号をつけて重複する説明を省略する。なお、この第４の実施形態の全体構成は、図７に示す第３の実施形態と同様である。
【０１１５】
同図において、記録編集装置１Ｃは、入力される映像情報１００を符号化する符号化部として、この映像情報１００をＭＰＥＧ−２規格による符号化映像ファイル１０１Ａにのみ符号化処理する符号化部１０ａを備えたものであって、記録部１１Ａもこの符号化映像ファイル１０１Ａを記録・格納する。なお、符号化部１０ａで符号化情報１０１Ｃが生成される場合には、この符号化情報１０１Ｃも記録部１１Ａに記録される。
【０１１６】
また、記録編集装置１Ｃは、フォーマット変換部２１を備えている。このフォーマット変換部２１は、図３（ｂ）におけるフォーマット変換回路１０Ｃと同様のものであって、記録部１１Ａから読み出された符号化映像ファイル１０２Ａ（符号化映像ファイル１０１Ａと同じ）をフォーマット変換（例えば、ＭＰＥＧ−２からＭＰＥＧ−４へのトランスコードや高解像度のＭＰＥＧ−２から低解像度のＭＰＥＧ−２への解像度変換など）する。このようなフォーマット変換で得られた符号化映像ファイル１０２Ｂは、先の各実施形態での記録編集装置での図３（ｂ）で示す構成の符号化部１０で得られる符号化映像ファイル１０１Ｂと同じものであって、この符号化映像ファイル１０２Ｂが送信部１９から、図７に示す第３の実施形態と同様、符号化映像ファイル１０２Ｃとして、伝送路を介して送信される。
【０１１７】
なお、記録部１１Ａは、ハードディスクや半導体メモリ，ＤＶＤ，Blue-rayなどによる光ディスクのドライブであり、記録編集装置１Ｃはかかるドライブを備えたレコーダなどである。また、端末装置２Ｂは、携帯電話や携帯端末（ＰＤＡ），携帯形や据置形のパソコンなどである。
【０１１８】
図１１は第４の実施形態における端末装置の一具体例を示すブロック図であって、２Ｂはこの具体例の端末装置、１８Ｂは送信部であり、図６及び図９に対応する部分には同一符号をつけて重複する説明を省略する。
【０１１９】
同図において、この端末装置２Ｂでは、記録編集装置１Ｃへの所望の符号化映像ファイルの読出し命令と編集命令１０５とを送信する送信部１８が設けられており、これ以外の構成は図９に示す第３の実施形態での端末装置２Ａと同様の構成をなしている。
【０１２０】
この端末装置２Ｂにおいて、いま、ユーザが、記録編集装置１Ｃから所望の映像情報のファイルを取り込むために、このファイルを指定して所定の操作をすると、この操作に伴う読出し命令がユーザＩ／Ｆ部１４に入力され、そこで所定の処理がなされた後、送信部１８Ｂから伝送路を介して図１０に示す記録編集装置１Ｃに送信される。
【０１２１】
また、ユーザが、記録編集装置１Ｃに保存されている所望の映像情報のファイルを編集するために、このファイルを指定して所定の操作をすると、この操作に伴う編集命令１０４がユーザＩ／Ｆ部１４に入力し、そこで所定の処理がなされ、編集命令１０５として、編集部１５Ｂに供給されるとともに、送信部１８Ｂにも供給され、編集命令１０６として、伝送路を介し、図１０に示す記録編集装置１Ｃに供給される。
【０１２２】
この記録編集装置１Ｃでは、受信部１６Ｂで端末装置２Ｂ（図１１）からの読出し命令が受信されると、図示しない管理部により、記録部１１Ａからこの読出し命令によって指定される映像情報のファイルの符号化映像ファイル１０２Ａが読み出され、上記のように、フォーマット変換部２１で符号化映像ファイル１０２Ｂに変換された後、送信部１９から、符号化映像ファイル１０２Ｃとして、図１１に示す端末装置２Ｂに送信される。
【０１２３】
そこで、この端末装置２Ｂでは、この符号化映像ファイル１０２Ｃが受信部２０で受信されて符号化映像ファイル１０２Ｂに復調され、復号化部１２で映像信号１０３に復号されて表示部１３に供給される。これにより、表示部１３では、ユーザが指定した映像情報のファイルが表示されることになる。この映像情報のファイルを編集する場合には、この映像情報の表示画面を見ながら、例えば、このファイルの特定区間の切り出し編集を行なう際の切り出し開始位置や切り出し終了位置を決めることができる。
【０１２４】
また、図１０に示す記録編集装置１Ｃにおいて、いま、受信部１６Ｂで端末装置２Ｂ（図１１）からの編集命令１０６が受信されると、この編集命令１０６から編集命令１０７が生成されて編集部１５Ａに供給されるとともに、図示しない管理部がこの編集命令１０７で指定される映像情報のファイルの符号化映像ファイル１０２Ａを記録部１１Ａから読み出す。この符号化映像ファイル１０２Ａは、編集部１５Ａにおいて、編集命令１０７に応じて編集され、その編集済みの符号化映像ファイル１０８Ａが記録部１１Ａに記録される。また、記録部１１Ａから読み出されたこの符号化映像ファイル１０２Ａは、上記のように、フォーマット変換部２１で符号化映像ファイル１０２Ｂに変換され、送信部１９から、符号化映像ファイル１０２Ｃとして、図１１に示す端末装置２Ｂに送信される。
【０１２５】
そこで、この端末装置２Ｂでは、記録編集装置１Ｃ（図１０）から送信されたこの符号化映像ファイル１０２Ｃが受信部２０で受信されて符号化映像ファイル１０２Ｂに復調され、編集部１５Ｂに供給されてユーザＩ／Ｆ部１４からの編集命令１０５に応じて編集処理される。この符号化映像ファイル１０２Ｂの編集済みのファイルは、復号化部１２で復号され、復号映像信号１０３として表示部１３に供給される。これにより、ユーザは編集の結果を確認することができる。
【０１２６】
次に、記録編集装置１Ｃをハードディスクレコーダとし、端末装置２Ｂを携帯電話とし、これらハードディスクレコーダ１Ｃ，携帯電話２Ｂ間の伝送路をインターネット網として、この第４の実施形態の一動作例を説明する。
【０１２７】
図１０及び図１１において、ハードディスクレコーダ１Ｃでは、図２におけるハードディスクレコーダ１と同様、ユーザによるボタン操作やリモートコントローラの操作により、図示しない受信装置によってユーザが希望する放送番組が受信されると、この放送番組の内容が番組内容情報１００として入力される。この番組内容情報１００は符号化部１０ａに供給されて符号化処理され、ＭＰＥＧ−２規格による符号化番組情報ファイル１０１Ａが作成されて記録部１１Ａに記録される。このようにして、所望の受信放送番組が符号化番組情報ファイル１０１Ａとして記録部１１Ａに記録される。
【０１２８】
ここで、ユーザが携帯電話２Ｂで記録編集装置１Ｃに保存されている所望の放送番組のファイルを指定操作すると、上記のように、読出し命令がこの携帯電話２Ｂから記録編集装置１Ｃに送信され、この記録編集装置１Ｃでは、これが受信部１６Ｂで受信されて記録部１１Ａから指定されたこの放送番組のＭＰＥＧ−２規格による符号化番組情報ファイル１０２Ａがこれに付加されている上記の付加情報をもとに検索して読み出される。この符号化番組情報ファイル１０２Ａは、フォーマット変換部２１で他のフォーマットの符号化番組情報ファイル１０２Ｂに変換されて送信部１９に供給され、そこで変調されて、符号化番組情報ファイル１０２Ｃとして、インターネット網を介し、携帯電話２Ｂに送信される。
【０１２９】
携帯電話２Ｂでは、この符号化番組情報ファイル１０２Ｃが受信部２０で受信されて符号化番組情報ファイル１０２Ｂに復調され、復号化部１２で映像情報１０３に復号されて表示部１３に供給される。これにより、指定された受信放送番組の内容が表示されることになる。
【０１３０】
また、ユーザが携帯電話２Ｂで記録編集装置１Ｃに保存されている所望の放送番組のファイルに対して編集を指示する操作をすると、ユーザＩ／Ｆ部１４に編集命令１０４が入力されて編集命令１０５に変換され、編集部１５Ｂに供給されるとともに、送信部１８Ｂにも供給されて変調され、編集命令１０６として、インターネット網を介し、ハードディスクドライバ１Ｃに送信される。なお、編集命令１０４は、編集の対象となる放送番組の映像情報のファイルに関する情報も付加されており、編集命令１０６はかかる情報も含んで送信される。
【０１３１】
そこで、ハードディスクレコーダ１Ｃにおいては、この編集命令１０６が受信部１６Ｂで受信されて復調されることにより、編集命令１０７が得られて編集部１５Ａに供給される。編集部１５Ａでは、この編集命令１０７に付加されている上記の情報に基づいて記録部１１Ａから該当する符号化番組情報ファイル１０２Ａが読み出され、編集命令１０７に応じた編集がなされて、編集済みの符号化番組情報ファイル１０８Ａとして、記録部１１Ａに記録される。また、ハードディスクレコーダ１Ｃでは、受信した編集命令１０７をもとに、記録部１１Ａから該当する符号化番組情報ファイル１０２Ａが読み出され、フォーマット変換部２１で符号化番組情報ファイル１０２Ｂに変換された後、送信部１９で変調されて、符号化番組情報ファイル１０２Ｃとして、インターネット網を介して携帯電話２Ｂに送信される。
【０１３２】
そこで、この携帯電話２Ｂでは、この符号化番組情報ファイル１０２Ｃが受信部２０で受信されて符号化番組情報ファイル１０２Ｂに復調され、編集部１５Ｂに供給されて編集命令１０５に応じた編集処理がなされる。この編集による編集済みの符号化番組情報ファイルは、復号化部１２で映像情報１０３に復号されて表示部１３に供給される。これにより、ユーザはこの表示部１３で編集結果を確認することができる。
【０１３３】
以上のように、この第４の実施形態では、記録編集装置１Ｃの記録部１１Ａに記録されている所望の映像ファイルを、これと同じであるが、符号化方式が異なる映像ファイルを用いることにより、端末装置２Ｂから遠隔編集することができ、また、端末装置２Ｂでは、その編集結果を確認することができるし、記録編集装置１Ｃから端末装置２Ｂへの映像ファイルの取り込みの手間が省けるなどの上記第３の実施形態と同様の効果を得ることができるが、さらに、記録編集装置１Ｃの記録部１１Ａには、１種類の符号化方式によって符号化された映像ファイルが記録されるので、より多くの映像ファイルを格納することができ、夫々の映像ファイルを遠隔編集することができる。
【０１３４】
なお、この第４の実施形態でも、記録編集装置１Ｃに、さらに、復号化部と表示部とを設け、記録部１１Ａに記録されている符号化映像ファイル１０２Ａの表示もできるようにしてもよい。
【０１３５】
また、読出し命令や編集命令１０５，符号化映像ファイル１０２Ｂを伝送路を介して伝送する際、これらを暗号化するようにしてもよい。この場合、受信部１６Ｂ（図１０）や受信部２０（図１１）では、受信信号の復調と復号（解読）との処理が行なわれる。
【０１３６】
さらに、記録部１１Ａから読み出されたＭＰＥＧ−２規格による符号化映像ファイル１０２Ａを送信部１９から端末装置２Ｂに送信するようにしてもよい。この場合には、記録編集装置１Ｃでは、フォーマット変換部２１を省略することができる。
【０１３７】
さらにまた、符号化映像ファイル１０２Ｂを送信部１９から端末装置２Ｂに送信するとき、記録部１１Ａに記録されている符号化情報１０１Ｃも読み出して送信し、端末装置２Ｂの編集部１５Ｂで符号化映像ファイル１０２Ｂを編集する場合、この符号化情報１０１Ｃを用いるようにしてもよい。
【０１３８】
なお、図２に示す記録編集装置１，図５に示す記録編集装置１Ａ及び図８に示す記録編集装置１Ｂにおいて、符号化部１０，記録部１１の代わりに、図１０に示す記録編集装置１Ｃでの符号化部１０ａ，記録部１１Ａを用いるようにしてもよい。
【図面の簡単な説明】
【０１３９】
【図１】本発明による動画像編集システムの第１の実施形態を示す構成図である。
【図２】図１における記録編集装置の一具体例を示すブロック図である。
【図３】図２における符号化部の具体例を示すブロック図である。
【図４】本発明による動画像編集システムの第２の実施形態を示す構成図である。
【図５】図４における記録編集装置の一具体例を示すブロック図である。
【図６】図４における端末装置の一具体例を示すブロック図である。
【図７】本発明による動画像編集システムの第３の実施形態を示す構成図である。
【図８】図７における記録編集装置の一具体例を示すブロック図である。
【図９】図７における端末装置の一具体例を示すブロック図である。
【図１０】本発明による動画像編集システムの第４の実施形態の記録編集装置の一具体例を示すブロック図である。
【図１１】本発明による動画像編集システムの第４の実施形態の端末装置の一具体例を示すブロック図である。
【符号の説明】
【０１４０】
１，１Ａ〜１Ｃ  記録編集装置
２，２Ａ，２Ｂ  端末装置
３  記録媒体
４  伝送路
１０，１０ａ  符号化部
１１，１１Ａ  記録部
１２  復号化部
１３  表示部
１４  ユーザＩ／Ｆ部
１５Ａ，１５Ｂ  編集部
１６，１６Ａ，１６Ｂ  受信部
１７Ａ，１７Ｂ  記録媒体Ｉ／Ｆ部
１８，１８Ａ，１８Ｂ，１９  送信部
２０  受信部
２１  フォーマット変換部
１００  映像情報
１０１Ａ，１０１Ｂ  符号化映像ファイル
１０１Ｃ  符号化情報
１０２Ａ，１０２Ｂ  符号化映像ファイル
１０３  映像信号
１０４〜１０７  編集命令
１０８Ａ〜１０８Ｃ  編集済みの符号化映像ファイル
【図１】
2005348228.tif 000003
【図２】
2005348228.tif 000004
【図３】
2005348228.tif 000005
【図４】
2005348228.tif 000006
【図５】
2005348228.tif 000007
【図６】
2005348228.tif 000008
【図７】
2005348228.tif 000009
【図８】
2005348228.tif 000010
【図９】
2005348228.tif 000011
【図１０】
2005348228.tif 000012
【図１１】
2005348228.tif 000013